(57)【要約】【課題】本発明は、極めて商品価値の高い画期的な筒型水槽及び水槽装置を提供することを目的とする。【解決手段】水槽１内に立設状態で設けられ、この水槽１内に配された水に没する部位に通水部３を有し、この水槽１内の水位Ｗ１よりも高い水位Ｗ２を保持し得る構成の筒型水槽であって、前記水槽１内に載置される径大筒状部２Ａと、この径大筒状部２Ａの上部に設けられ該径大筒状部２Ａよりも径小の径小筒状部２Ｂとから成り、前記径大筒状部２Ａは前記水槽１内に載置した際、前記水槽１の上縁部１ａより突出しないように構成され、また、前記径小筒状部２Ｂは前記径大筒状部２Ａを前記水槽１内に載置した際、前記水槽１の上縁部１ａから突出するように構成されたものである。【選択図】図１
2010193813.tif 000002
【特許請求の範囲】
【請求項１】
水槽内に立設状態で設けられ、この水槽内に配された水に没する部位に通水部を有し、この水槽内の水位よりも高い水位を保持し得る構成の筒型水槽であって、前記水槽内に載置される径大筒状部と、この径大筒状部の上部に設けられ該径大筒状部よりも径小の径小筒状部とから成り、前記径大筒状部は前記水槽内に載置した際、前記水槽の上縁部より突出しないように構成され、また、前記径小筒状部は前記径大筒状部を前記水槽内に載置した際、前記水槽の上縁部から突出するように構成されていることを特徴とする筒型水槽。
【請求項２】
請求項１記載の筒型水槽において、前記径大筒状部と前記径小筒状部との境界部は前記水槽の上縁部に略一致する高さに設定されていることを特徴とする筒型水槽。
【請求項３】
請求項１，２いずれか１項に記載の筒型水槽において、前記径大筒状部の周面には、開口する前記通水部が設けられていることを特徴とする筒型水槽。
【請求項４】
請求項１〜３いずれか１項に記載の筒型水槽において、前記径小筒状部の上面部には排気孔部が設けられていることを特徴とする筒型水槽。
【請求項５】
請求項１〜４いずれか１項に記載の筒型水槽において、前記径大筒状部は透明であることを特徴とする筒型水槽。
【請求項６】
水槽と、この水槽内に立設状態で設けられ、この水槽内に配された水に没する部位に通水部を有し、この水槽内の水位よりも高い水位を保持し得る筒型水槽とで構成される水槽装置であって、前記筒型水槽は、前記水槽内に載置される径大筒状部と、この径大筒状部の上部に設けられ該径大筒状部よりも径小の径小筒状部とから成り、前記径大筒状部は前記水槽内に載置した際、前記水槽の上縁部より突出しないように構成され、また、前記径小筒状部は前記径大筒状部を前記水槽内に載置した際、前記水槽の上縁部から突出するように構成されていることを特徴とする水槽装置。
【発明の詳細な説明】
【技術分野】
【０００１】
本発明は、例えば水槽内に立設状態に設けられる筒型水槽及び水槽装置に関するものである。
【背景技術】
【０００２】
従来から、例えば実用新案登録第３１０３８１４号に開示されるように、上面が開口した箱型の水槽内に立設状態に配され、この水槽の上方に柱状の水域を形成することができる筒型水槽（以下、従来例）が提案されている。
【０００３】
具体的には、この従来例は、上部が閉塞され下部が開口された有天筒状体であり、大気圧を利用して水槽内の水の水位よりも内部に配された水の水位を高く保持し得るものである。
【０００４】
この水槽内に立設状態となる従来例の内部に水を配する方法としては、水を配した水槽内で立設状態とし、ホースなどを用いて内部の空気を抜く方法や、水を配した水槽内で倒して内部に水を配した後、この内部に入った水が抜けないように起こして立設状態とする方法などがある。
【先行技術文献】
【特許文献】
【０００５】
【特許文献１】実用新案登録第３１０３８１４号公報
【発明の概要】
【発明が解決しようとする課題】
【０００６】
ところで、従来例は、デザイン上（水槽の横巾に対する大きさのバランスの関係から）、従来例における水槽の上縁部から突出する部位は、径がある程度細く且つ水槽の上縁部から背高く突出した状態となるものが良いとされており、従来例は細長い形状に形成されているため非常に安定性が悪く、よって、従来例は突然倒れてしまい、水槽内の水が溢れてしまうという問題点がある。この場合、水槽には上縁部付近まで水が配されるのが一般的であるから、従来例が倒れると、内部の水が水槽内に水が流れ込み、よって、水槽の上縁部から水が溢れ出てしまう。
【０００７】
本発明は、上述の問題点を解決し、極めて商品価値の高い画期的な筒型水槽及び水槽装置を提供するものである。
【課題を解決するための手段】
【０００８】
添付図面を参照して本発明の要旨を説明する。
【０００９】
水槽１内に立設状態で設けられ、この水槽１内に配された水に没する部位に通水部３を有し、この水槽１内の水位Ｗ１よりも高い水位Ｗ２を保持し得る構成の筒型水槽であって、前記水槽１内に載置される径大筒状部２Ａと、この径大筒状部２Ａの上部に設けられ該径大筒状部２Ａよりも径小の径小筒状部２Ｂとから成り、前記径大筒状部２Ａは前記水槽１内に載置した際、前記水槽１の上縁部１ａより突出しないように構成され、また、前記径小筒状部２Ｂは前記径大筒状部２Ａを前記水槽１内に載置した際、前記水槽１の上縁部１ａから突出するように構成されていることを特徴とする筒型水槽に係るものである。
【００１０】
また、請求項１記載の筒型水槽において、前記径大筒状部２Ａと前記径小筒状部２Ｂとの境界部４は前記水槽１の上縁部１ａに略一致する高さに設定されていることを特徴とする筒型水槽に係るものである。
【００１１】
また、請求項１，２いずれか１項に記載の筒型水槽において、前記径大筒状部２Ａの周面には、開口する前記通水部３が設けられていることを特徴とする筒型水槽に係るものである。
【００１２】
また、請求項１〜３いずれか１項に記載の筒型水槽において、前記径小筒状部２Ｂの上面部には排気孔部10が設けられていることを特徴とする筒型水槽に係るものである。
【００１３】
また、請求項１〜４いずれか１項に記載の筒型水槽において、前記径大筒状部２Ａは透明であることを特徴とする筒型水槽に係るものである。
【００１４】
また、水槽１と、この水槽１内に立設状態で設けられ、この水槽１内に配された水に没する部位に通水部３を有し、この水槽１内の水位Ｗ１よりも高い水位Ｗ２を保持し得る筒型水槽２とで構成される水槽装置であって、前記筒型水槽２は、前記水槽１内に載置される径大筒状部２Ａと、この径大筒状部２Ａの上部に設けられ該径大筒状部２Ａよりも径小の径小筒状部２Ｂとから成り、前記径大筒状部２Ａは前記水槽１内に載置した際、前記水槽１の上縁部１ａより突出しないように構成され、また、前記径小筒状部２Ｂは前記径大筒状部２Ａを前記水槽１内に載置した際、前記水槽１の上縁部１ａから突出するように構成されていることを特徴とする水槽装置に係るものである。
【発明の効果】
【００１５】
本発明は上述のように構成したから、良好な体裁を確保しつつ安定性を飛躍的に向上することができるなど極めて商品価値の高い画期的な筒型水槽及び水槽装置となる。
【図面の簡単な説明】
【００１６】
【図１】本実施例の使用状態説明図である。
【図２】本実施例を示す斜視図である。
【図３】本実施例に係る要部の説明断面図である。
【図４】本実施例の概略動作説明図である。
【図５】本実施例の概略動作説明図である。
【図６】本実施例の概略動作説明図である。
【図７】本実施例の概略動作説明図である。
【図８】別実施例に係る要部の説明断面図である。
【発明を実施するための形態】
【００１７】
好適と考える本発明の実施形態を、図面に基づいて本発明の作用を示して簡単に説明する。
【００１８】
例えば、水を配した水槽１内で立設状態としてホースなどを用いて内部の空気を抜くか、或いは、水を配した水槽１内で倒して内部に水を配した後、内部に入った水が抜けないように起こして立設状態としたりすると、水槽１内の水位Ｗ１よりも内部の水位Ｗ２が高く保持された状態が得られることになる。
【００１９】
水槽１内は勿論、本発明に係る筒型水槽内にも例えば魚や水草を配して観賞することができる。
【００２０】
ところで、本発明は、水槽１内に載置される径大筒状部２Ａと、この径大筒状部２Ａの上部に設けられ該径大筒状部２Ａよりも径小の径小筒状部２Ｂとから成り、径大筒状部２Ａは水槽１内に載置した際、水槽１の上縁部１ａより突出しないように構成され、また、径小筒状部２Ｂは径大筒状部２Ａを水槽１内に載置した際、水槽１の上縁部１ａから突出するように構成されており、この構成から、良好な体裁を確保しつつ安定性を飛躍的に向上することができる。
【００２１】
即ち、水槽１内の水中に配される部位（特に透明な部材）は水槽１の外部からは見にくい為、この水中に配される部位を径大としても体裁に影響はなく、このことから、本発明は、水槽１の上縁部１ａから突出する部位（径小筒状部２Ｂ）はデザイン上好ましい状態（径小で且つ高さのある状態）としながら、水中内に配される部位（径大筒状部２Ａ）は安定性のある径大としている。
【００２２】
従って、安定化を達成する構造として、特別な支持装置などは使用せず、形状の設定という極めて簡易な構造により良好な体裁を確保し安定性を飛躍的に向上させることができる。
【００２３】
また、径大筒状部２Ａと径小筒状部２Ｂとの境界部４は水槽１の上縁部１ａに略一致する高さに設定されている場合には、この径の異なる部位を設けることで生じる段差を水槽１の上縁部１ａによって見えにくくすることができ、より一層良好な体裁を確保することができる。例えば水槽１の上縁部１ａには帯状の枠が設けられているのが一般的であり（通常、この枠に水面が隠れる程度に水槽１内には水が配される。）、この枠を有する水槽１であれば径大筒状部２Ａと径小筒状部２Ｂとの境界部４に形成される段差をより確実に見えにくくすることができる。
【００２４】
また、径大筒状部２Ａの周面には、開口する通水部３が設けられている場合には、それだけ安定性を確保しつつ水槽１内の水と通水状態とする通水部３を大きく設けることができ、よって、例えば水や酸素の出入りが良好に行なわれるなど水質の安定化が達成され、しかも、例えば魚の出入りが行い易いなど生物の良好な育成環境が得られることになる。
【実施例】
【００２５】
本発明の具体的な一実施例について図面に基づいて説明する。
【００２６】
本実施例は、水槽１内に立設状態に配され、該水槽１内に配された水に没する部位に通水部３を有して、当該水槽１内の水の水位Ｗ１よりも内部に配された水の水位Ｗ２を高く保持し得る筒型水槽２である。本実施例で採用される水槽１は、透明材からなる上面が開口した既存（規格サイズ）の箱型水槽であり、上縁部１ａには帯状の枠１Ａが設けられている。尚、水槽１としては、水を配する容器であれば良いなど、本実施例の特性を発揮するものであれば適宜採用し得るものである。
【００２７】
以下、本実施例に係る構成各部について詳細な説明をする。
【００２８】
筒型水槽２は、図１〜３に図示したように適宜な透明の合成樹脂材（アクリル樹脂）を成形したものであり、上部が閉塞され下部が開口された有天筒状体である。
【００２９】
具体的には、水槽１内に載置される断面円形の径大筒状部２Ａと、この径大筒状部２Ａの上部中央に環状部材２ａを介して連設され、該径大筒状部２Ａよりも径小となる断面円形の径小筒状部２Ｂとで構成され、この径小筒状部２Ｂの上端部は天板材２ｂにより閉塞され、径大筒状部２Ａの下端部は開口されている。尚、筒型水槽２を構成する径大筒状部２Ａも径小筒状部２Ｂも透明としたが、径大筒状部２Ａのみを透明とし、径小筒状部２Ｂの一部のみ透明とするなど、適宜設定し得るものである。
【００３０】
また、筒型水槽２は、径大筒状部２Ａを水槽１内に載置した際、径小筒状部２Ｂのみが水槽１の上縁部１ａ（枠１Ａ）から突出状態となる寸法に設定され、更に、径大筒状部２Ａと径小筒状部２Ｂとの段差状の境界部４が水槽１の上縁部１ａ（枠１Ａ）に略一致する高さに設定されている。
【００３１】
また、径大筒状部２Ａには、該径大筒状部２Ａの周面に開口する通水部３が設けられている。
【００３２】
この通水部３は、図２に図示したように径大筒状部２Ａの周面に等間隔で複数（４個）形成されており、径大筒状部２Ａの下端開口部に開口する切欠孔を設けて構成されている。
【００３３】
また、径小筒状部２Ｂには、図４に図示したように上面部（天板材２ｂ）に排気孔部10を設けても良い。
【００３４】
即ち、この排気孔部10は、径小筒状部２Ｂの天板材２ｂに設けた貫通孔10ａに開閉弁体10ｂを設けて構成されている。後述する本実施例の内部に水を配する方法と同様、この排気孔部10にホース11を接続して内部の空気を吸引して排出することができる。この構造であれば後述する方法に比してホース11の取り扱いが簡易である。
【００３５】
符号７は観賞魚、８は水草、９は土である。
【００３６】
以上の構成からなる本実施例に係る筒型水槽２の内部に水を配する方法について説明する。
【００３７】
先ず、図５に図示したように内部に水を配した水槽１内に筒型水槽２を立設状態とするとともに、ホース11を筒型水槽２の内部に入れる（ホース11の先端が径小筒状部２Ｂの天板材２ｂの近傍に位置するように入れる。）。この際、水槽１内の水の水位Ｗ１と筒型水槽２内の水の水位Ｗ２とは同一である。
【００３８】
続いて、図６に図示したようにホース11により筒型水槽２の内部の空気を吸引して抜くことで内部に水を配する。この際、水槽１内の水の水位Ｗ１は筒型水槽２内に水が入った分だけ降下し、筒型水槽２内の水の水位Ｗ２は上昇する。ホース11による吸引を停止しても大気圧により水槽１内の水の水位Ｗ１よりも筒型水槽２の内部に配された水の水位Ｗ２を高く保持し得ることになる。
【００３９】
引き続き、ホース11により筒型水槽２の内部の空気を吸引して抜いて筒型水槽２の天板材２ｂの位置まで水位Ｗ２を上げる（図７参照）。この際、水槽１内の水の水位Ｗ１が開口部３に達しないように注意する。
【００４０】
その後、図８に図示したように水槽１内の水の水位Ｗ１が適正位置となるように水を補充する。
【００４１】
尚、筒型水槽２の内部に水を配する方法としては、前述した方法に限られるものではなく、水を配した水槽１内で倒して内部に水を配した後、内部に入った水が抜けないように起こして立設状態としたりする方法など、適宜採用し得るものである。
【００４２】
本実施例は上述のように構成したから、安定化を達成する構造として、特別な支持装置などは使用せず、形状の設定という極めて簡易構造でありながら良好な体裁を確保しつつ安定性を飛躍的に向上することができる。
【００４３】
また、本実施例は、既存の水槽１に付与することで水量を多くすることができ、生物の育成に適した環境（良好な水質環境）が得られることになる。
【００４４】
また、本実施例は、径大筒状部２Ａと径小筒状部２Ｂとの境界部４は水槽１の上縁部１ａに略一致する高さに設定されているから、この径の異なる部位を設けることで生じる段差を水槽１の上縁部１ａによって見えにくくすることができ、より一層良好な体裁を確保することができる。
【００４５】
また、本実施例は、径大筒状部２Ａの周面には、開口する通水部３が設けられているから、それだけ安定性を確保しつつ水槽１内の水と通水状態とする通水部３を大きく設けることができ、よって、例えば水や酸素の出入りが良好に行なわれるなど水質の安定化が達成され、しかも、例えば魚の出入りが行い易いなど生物の良好な育成環境が得られることになる。
【００４６】
尚、本発明は、本実施例に限られるものではなく、各構成要件の具体的構成は適宜設計し得るものである。
【産業上の利用可能性】
【００４７】
本発明は、例えば観賞魚や水草の育成に際し、極めてデザイン性に秀れたレイアウトを実現する筒型水槽及び水槽装置である。
【符号の説明】
【００４８】
Ｗ１  水位
Ｗ２  水位
１  水槽
１ａ  上縁部
２Ａ  径大筒状部
２Ｂ  径小筒状部
３  通水部
４  境界部
10  排気孔部
【図１】
2010193813.tif 000003
【図２】
2010193813.tif 000004
【図３】
2010193813.tif 000005
【図４】
2010193813.tif 000006
【図５】
2010193813.tif 000007
【図６】
2010193813.tif 000008
【図７】
2010193813.tif 000009
【図８】
2010193813.tif 000010